(57)【要約】【課題】手摺バーの傾斜角度を使用者に合わせて使い易いように自由に設定することができる介護用手摺りを提供する。【解決手段】基板１０の前後位置に伸縮自在なる中間部支柱２０と後部支柱３０とを垂設し、該中間部支柱の上端に手摺バー５０の長手方向略中間部を第１継手４１を介在させることにより傾動可能に枢支し、該手摺バーの後方部と前記後側支柱の上端とを第２継手４２および第３継手４３を介して屈折可能に連結するとともに、該手摺バーの前方部に第４継手４４を介して伸縮自在なる前部支柱６０を垂下状に設ける。【選択図】図１
2014111863.tif 000002
【特許請求の範囲】
【請求項１】
基板の前後位置に伸縮自在なる中間部支柱と後部支柱とを垂設し、該中間部支柱の上端に手摺バーの長手方向略中間部を第１継手を介在させることにより傾動可能に枢支し、該手摺バーの後方部と前記後側支柱の上端とを第２継手および第３継手を介して屈折可能に連結するとともに、該手摺バーの前方部に第４継手を介して伸縮自在なる前部支柱を垂下状に設けたことを特徴とする介護用手摺り。
【請求項２】
手摺バーの後端部が下方にＵ字状に折り曲げられているとともに、該手摺バーの前方にＵ字形の延長手摺バーが第４継手を介して連結され、該延長手摺バーに前部支柱を垂下状に設けてなる請求項１に記載した介護用手摺り。
【発明の詳細な説明】
【技術分野】
【０００１】
本発明は玄関の段差部等に設置する介護用手摺りに関するものである。
【背景技術】
【０００２】
介護用手摺りは、一般の家庭用住宅における玄関の上がりカマチ等に、身体障害者や高齢者などの入居者の必要に応じて配置したり撤去することができるものであり、上がりカマチの高さ（段差）は住宅によってまちまちであるので、下記特許文献１、２等に示された介護用手摺りは、支柱が伸縮可能に構成され、該支柱を上がりカマチの高さに応じて伸縮させることにより、上がりカマチの高さがまちまちであっても配置し得るように構成したものであった。
【先行技術文献】
【特許文献】
【０００３】
【特許文献１】特開２０１２−８７５０７号公報
【特許文献２】特開２０１２−２１９６１３号公報
【発明の概要】
【発明が解決しようとする課題】
【０００４】
しかしながらこれら従来の介護用手摺りは、手摺バー（使用者が手を握る部分）の長手方向の傾斜角度を調節できるものではない。即ち、これらの特許文献に示された従来の介護用手摺りは、一体的な手摺バー全体の設定高さを上下に調節し得るだけであって、手摺バーの長手方向の傾斜角度を調節し得るものではなかったので、例えば段差が非常に大きい上がりカマチに設置した場合、上がりカマチに登ろうとする使用者は高い位置にある手摺バーを手で掴まければならず、反対に上がりカマチを降りようとする使用者は低い位置にある手摺バーを掴まければならないようになるなど、使い勝手が悪くなるという問題があった。なお、特許文献２に示された介護用手摺りでは、上がりカマチの平均的な高さに合わせて手摺バーを屈折した形状にしているが、段差の大きさは上記のように一定でないので、このような問題は未だ解消されていない。
【課題を解決するための手段】
【０００５】
本発明は介護用手摺りのこのような問題点を解消しようとするもので、基板の前後位置に伸縮自在なる中間部支柱と後部支柱とを垂設し、該中間部支柱の上端に手摺バーの長手方向略中間部を第１継手を介在させることにより傾動可能に枢支し、該手摺バーの後方部と前記後側支柱の上端とを第２継手および第３継手を介して屈折可能に連結するとともに、該手摺バーの前方部に第４継手を介して伸縮自在なる前部支柱を垂下状に設けてなることを特徴とする。
また、本発明は上記介護用手摺りにおいて、手摺バーの後端部が下方にＵ字状に折り曲げられているとともに、該手摺バーの前方にＵ字形の延長手摺バーが第４継手を介して連結され、該延長手摺バーに前部支柱を垂下状に設けてなることを特徴とする。
【発明の効果】
【０００６】
本発明に係る介護用手摺りによれば、手摺バーの傾斜角度を段差の大きさや使用者に合わせて自在に調節できるので、特に身体障害者や高齢者などにとって使い勝手が大幅に向上し、介護用品として優れたものとなる。
【図面の簡単な説明】
【０００７】
【図１】本発明に係る介護用手摺りの斜視図。
【図２】図１の部分拡大縦断面図。
【図３】本発明に係る介護用手摺りの第１継手乃至第４継手の斜視図。
【図４】本発明に係る介護用手摺りの設置状態を示した側面図。
【図５】本発明に係る介護用手摺りの手摺バーの傾斜角度を変更したときの側面図。
【発明を実施するための最良の形態】
【０００８】
次に本発明に係る介護用手摺りを図面とともに説明する。図１、図２に示すように、１０は鉄板１１の上面に滑止用のゴムシート１２を張設してなる基板である。なお、該基板の前縁部には該鉄板を上向に折曲することによりリブ１３が一体に形成されている。また、該基板１０上の前方位置に左右一対の伸縮自在なる中間部支柱２０が垂設され、該基板１０上の後方位置に左右一対の伸縮自在なる後部支柱３０が垂設される。該中間部支柱２０は、伸縮自在に構成するために太径筒部材２１と細径筒部材２２とからなり、該太径筒部材２１は、下端部を基板１０上にボルト２３によって固定され、該太径筒部材２１の相対する側壁の下方部であって高さ方向に適宜間隔を離して複数の止孔２４が開設され、摘子２５が一端に形成された支軸２６を該止孔２４に貫挿している。また、該太径筒部材２１の上方部にナット２７が固着され、摘子２８が一端に形成されたネジ軸２９を該ナットに螺合してなる。一方、細径筒部材２２は、該太径筒部材２１の上端開口に摺動自在に貫挿され、前記支軸２６によって該細径筒部材２２の下端が支持されているとともに、前記ネジ軸２９の先端を該細径筒部材２２の側面に圧着することにより、該細径筒部材２２の自在摺動が制止される。このため、ネジ軸２９を緩めて該細径筒部材２２を上下動し、複数の止孔２４から支軸２６を貫挿するものを適宜選択し、ネジ軸２９を締めなおすことにより、該細径筒部材２２の高さが自在に調節されるようになる。また、後部支柱３０についても、伸縮自在に構成するために太径筒部材３１中に細径筒部材３２が摺動自在に貫挿され、摘子３５が一端に形成された支軸を止孔３４に貫挿するとともに、摘子３８が一端に形成されたネジ軸をナット３７に螺合してなり、中間部支柱２０と同様に細径筒部材３２の高さを自在に調節し得るように構成されている。
【０００９】
そして、中間部支柱２０の上端、即ち、細径筒部材２２の上端部に第１継手４１を設け、該第１継手を介して手摺バー５０の長手方向略中間部５１を枢着することにより該手摺バー５０が傾動可能に支持される。なお、該第１継手４１は、図３に示したように、一対の継手部材４０ａ，４０ｂの相対する半円柱状部分に枢軸４０ｃを貫挿することにより該継手部材４０ａ，４０ｂを該枢軸４０ｃと直交する方向に回転可能に連結してなるもので、該各継手部材４０ａ，４０ｂの基部を細径筒部材２２の上端部および手摺バー５０に形成された連結部５２に嵌着固定することにより該手摺バー５０を傾動可能に支持し得る。
【００１０】
また、手摺バー５０の後方部と後側支柱３０の上端とを図３に示した第１継手４１と同じ構造の第２継手４２および第３継手４３を介して屈折可能に連結している。即ち、後部支柱３０の上端である細径筒部材３２の上端部に第２継手４２の一方の継手部材を嵌着固定し、該第２継手４２の他方の継手部材に筒状の短支柱５３を嵌着固定し、該短支柱５３の上端部にさらに第３継手４３の一方の継手部材を嵌着固定し、該第３継手４３の他方の継手部材に手摺バー５０に形成された連結部５４に嵌着固定している。これにより手摺バー５０の後部を後部支柱３０の上端部に第２継手４２および第３継手４３を介して屈折可能に連結してなる。なお、手摺バー５０の後端部５５は、手で掴み易いように下方にＵ字状に折り曲げられている。５７はエンドキャップである。
【００１１】
一方、手摺バー５０の前方にはＵ字形の延長手摺バー５６が図３に示した第１継手４１と同じ構造の第４継手４４を介して連結され、該延長手摺バー５６の端部に伸縮自在なる前部支柱６０が垂下状に連結される。該前部支柱６０は、該延長手摺バー５６の下端部に固設された太径筒部材６１と、該太径筒部材の下端開口に摺動自在に貫挿された細径筒部材６２とからなり、該太径筒部材の一側壁にナット６３が固着され、摘子６４が一端に形成されたネジ軸６５を該ナットに螺合することにより該ネジ軸６５の先端で該細径筒部材６２を圧着し該細径筒部材６２が支持されるようにしている。６６は該細径筒部材６２の下端部に止着された弾性覆部材である。
【００１２】
このように構成した介護用手摺りは、図４に示したように、前記リブ１３が上がりカマチ７０の起立部に当たるように基板１０を玄関に置いて、手摺バー５０の後端部５５が使用者の身長に合わせて使い易い高さに調整されるように後部支柱３０を前述のように伸縮させるとともに、手摺バー５０の中間部および前方の手摺バー５６も使用者の身長に合わせて使い易い高さに調整されるように中間部支柱２０を伸縮させる。このとき、手摺バー５０は第１継手４１を介して中間部支柱２０に支持されているとともに第２継手４２および第３継手４３を介して後部支柱３０に支持されているので、図５に例示したように、これらの継手により屈折が自由になることから、該手摺バー５０の長手方向の傾斜角度を必要に応じて自由に設定することができる。そして、該手摺バー５０の傾斜角度をこのように変えても、手摺バー５６を第４継手４４で屈折させることで前部支柱６０を上がりカマチ７０の上に常に垂直に垂下させられ、該細径筒部材６２の下端部弾性覆部材６６を該上がりカマチ７０上に接触させた状態で摘子６４を締めてネジ軸６５により該細径筒部材６２を不動に圧着することにより、手摺バー５０および延長手摺バー５６を前部支柱６０に安定的に支持することができる。このようにこの介護用手摺りは、使用者にとって常に使い勝手が良いように傾斜角度を自由に設定することができる。
【００１３】
そして、この介護用手摺りは、中間部支柱２０と後部支柱３０と前部支柱６０とによって手摺バー５０、延長手摺バー５６が安定的に支持されるので、十分な強度が得られ、安全に使用できるとともに、該手摺バー５０の傾斜角度を自由に設定することができるので、上がりカマチ等の段差の大小に応じて常に的確な対処ができ、身体障害者や高齢者など使用者が使い易いものとなる。また、この介護用手摺りは、中間部支柱２０および後部支柱３０が基板１０上に支持されているので、必要に応じて設置や撤去を極めて容易に行うことができる。
【００１４】
また、この介護用手摺りは、手摺バー５０の後端部が下方にＵ字状に折り曲げられているとともに、該手摺バーの前方にＵ字形の延長手摺バー５６が第４継手４４を介して連結されているので、手摺バー５０の後端部および前方端部を手で掴み易くすることができ、この点でも使い勝手が良い。
なお、この実施形態は、左右一対の手摺バーからなる両側手摺りについて説明したが、本発明の機構は片側手摺りにもそのまま適用することができる。
【符号の説明】
【００１５】
１０    基板
２０    中間部支柱
３０    後部支柱
４１    第１継手
４２    第２継手
４３    第３継手
４４    第４継手
５０    手摺バー
５６    延長手摺バー
６０    前部支柱
【図１】
2014111863.tif 000003
【図２】
2014111863.tif 000004
【図３】
2014111863.tif 000005
【図４】
2014111863.tif 000006
【図５】
2014111863.tif 000007